(57)【要約】【課題】印刷機の給紙部について、スムーズな枚葉紙の受渡しを実現し、受渡し精度の向上、つまりは印刷品質の向上を図ることのできる印刷機を提供することをその課題とする。【解決手段】セパレータ２２の二吸２２ｂから第１フィーディングローラ２４への枚葉紙Ｐの受渡しの際、二吸２２ｂの搬送速度よりも第１フィーディングローラ２４の周速を速くするように設定する。このようにすることにより、搬送される枚葉紙Ｐは第１フィーディングローラ２４に搬送される時にその先端が引っ張られるように作用し、受渡し精度の向上、さらには印刷品質を向上させることができる。【選択図】  図２
2016069113.tif 000002
【特許請求の範囲】
【請求項１】
枚葉紙を積載するパイル台と、該パイル台上の枚葉紙を個々に取り出し可能なサッカーを有するセパレータと、該サッカーから搬送される枚葉紙を搬送可能な第１フィーディングローラと、該第１フィーディングローラから搬送される枚葉紙を印刷機へ搬送可能なフィーダーボードとを有する印刷機の給紙部において、該サッカーから該第１フィーディングローラへの枚葉紙の受渡しの際、該サッカーの搬送速度よりも該第１フィーディングローラの周速を速くしたことを特徴とする印刷機の給紙部。
【請求項２】
該サッカーから該第１フィーディングローラへの枚葉紙の受渡しの際、該サッカーの搬送速度を一定速度としたことを特徴とする請求項１記載の印刷機の給紙部。
【請求項３】
該第１フィーディングローラの周面に枚葉紙吸着手段を設けたことを特徴とする請求項１または２記載の印刷機の給紙部。
【請求項４】
該枚葉紙吸着手段による枚葉紙の吸着作用を該サッカーから該第１フィーディングローラへの枚葉紙の受渡しの際のみとしたことを特徴とする請求項３記載の印刷機の給紙部。
【発明の詳細な説明】
【技術分野】
【０００１】
本発明は印刷機の給紙部に関し、特にセパレータによってパイル台に積載された枚葉紙が個々に取り出され、フィーダーボードに供給可能な印刷機の給紙部に関するものである。
【背景技術】
【０００２】
印刷機の給紙部に関し、セパレータによりパイル台の枚葉紙をフィーダーボードへ受渡しする動作については、セパレータに設けられ一吸、二吸（前進及び上昇用サッカー）により吸着された個々の枚葉紙が、フィーダーボード手前の第１フィーディングローラと第１咥えローラによって挟持されることで行われる。第１フィーディングローラと第１咥えローラによって挟持される際、紙が撓む等することにより、受渡し精度が悪くなるという問題があり、この受渡しを確実に行うため、セパレータと第１咥えローラとの間にガイドをつける等の対策が施されていたが十分ではなかった。また、特許文献１のような技術の開示もあった。
【先行技術文献】
【特許文献】
【０００３】
【特許文献１】特許第２６３７３７２号公報
【発明の概要】
【発明が解決しようとする課題】
【０００４】
特許文献１の技術は、第１フィ−ディングローラの速度が最も遅い時に二吸から第１フィーディングローラへの受渡しを行うというものである。また、第１フィーディングローラの作業サイクルに対して、二吸の作業サイクルを調節するという技術の開示もあるが、やはり受渡し精度の面で改善の余地があった。
【０００５】
本発明はこのような問題を解決するためになされたもので、印刷機の給紙部について、スムーズな枚葉紙の受渡しを実現し、受渡し精度の向上、つまりは印刷品質の向上を図ることのできる印刷機の給紙部を提供することを目的とする。
【課題を解決するための手段】
【０００６】
本発明は上記目的を達成するため、  枚葉紙を積載するパイル台２１と、該パイル台２１上の枚葉紙Ｐを個々に取り出し可能なサッカー２２ｂを有するセパレータ２２と、該サッカー２２ｂから搬送される枚葉紙Ｐを搬送可能な第１フィーディングローラ２４と、該第１フィーディングローラ２４から搬送される枚葉紙Ｐを印刷機へ搬送可能なフィーダーボード２６とを有する印刷機の給紙部Ａにおいて、該サッカー２２ｂから該第１フィーディングローラ２４への枚葉紙Ｐの受渡しの際、該サッカー２２ｂの搬送速度よりも該第１フィーディングローラ２４の周速を速くしたことを特徴とする。
【０００７】
また、該サッカー２２ｂから該第１フィーディングローラ２４への枚葉紙Ｐの受渡しの際、該サッカー２２ｂの搬送速度を一定速度としてもよい。
【０００８】
また、該第１フィーディングローラ２４の周面に枚葉紙吸着手段３０を設けてもよい。
【０００９】
また、該枚葉紙吸着手段３０による枚葉紙Ｐの吸着作用を該サッカー２２ｂから該第１フィーディングローラ２４への枚葉紙の受渡しの際のみとしてもよい。
【発明の効果】
【００１０】
本発明の印刷機の給紙部においては、スムーズな枚葉紙の受渡しを実現し、受渡し精度の向上、つまりは印刷品質の向上を図ることのできる印刷機を提供することができる。
【００１１】
また、受渡しの際のサッカーの搬送速度が一定となるので、受渡しの精度がいっそうよくなる。
【００１２】
また、第１フィーディングローラの周面に設けられた枚葉紙吸着手段により、第１フィーディングローラの搬送直前から枚葉紙を引っ張った状態で受渡し精度の向上を図ることができる。
【００１３】
また、枚葉紙吸着手段による枚葉紙の吸着作用をサッカーから第１フィーディングローラへの枚葉紙の受渡しの際のみとしたことにより、フィーダーボードへの枚葉紙をよりスムーズに受渡しすることが出来る。
【図面の簡単な説明】
【００１４】
【図１】本発明に係る印刷機の概略断面側面図である。
【図２】給紙部の一部拡大図である。
【図３】第１フィーディングローラの拡大図である。
【図４】（ａ）は二吸の速度変化を、（ｂ）は第１フィーディングローラの速度変化を示すグラフである。
【発明を実施するための形態】
【００１５】
次に本発明を実施するための形態について図面を参照して説明する。
【００１６】
図１は本発明に係る印刷機の一例である。図１に示す通り、本実施例に係る印刷機は枚葉オフセット印刷機である。この印刷機は、印刷用紙としての枚葉紙Ｐを一枚ずつ印刷機内に送り出すための給紙部Ａと、この給紙部Ａからの枚葉紙Ｐに印刷を行うための印刷部Ｂと、枚葉紙Ｐを排紙するための排紙部Ｃとを備えている。ここで印刷部Ｂは、４色の印刷が行えるように４台の印刷ユニット５を備えた印刷部Ｂとしているが、４色以外の色、つまり１色又は２色以上の印刷が行える印刷部であってもよい。又、印刷機を構成する各部の具体的な構成は図に示されるものに限定されるものではない。
【００１７】
前記印刷ユニット５は、版胴１とゴム胴２と図示しないインキローラ群、そして圧胴３と渡し胴６とを備えている。図示していないが、圧胴３のそれぞれには、送り出されてきた枚葉紙Ｐを爪台と爪とで把持するグリッパを、円周方向の２箇所（１箇所又は３箇所以上でもよい）に備えている。符号７は給紙胴であり、フィーダーボード２６、レジスタボード９上を搬送される枚葉紙Ｐをスインググリッパ１０から受け取り、圧胴３に渡す役割を果たす。給紙胴７、スインググリッパ１０にも前記の爪台と爪が設けられている。
【００１８】
排紙部Ｃはグリッパを備えるチェーン搬送装置にて構成されている。すなわち、最終印刷ユニット５の圧胴３に隣接した枚葉紙Ｐの搬送方向上流側に設けられたスプロケット１３と枚葉紙Ｐの搬送方向下流側に設けられたスプロケット１４に無端状のチェーン１５が巻回されており、スプロケット１３、１４の回転により、図示しないチェーンガイドに規制された状態でチェーン１５は周回する。チェーン搬送装置により搬送された枚葉紙Ｐは排紙パイル１６に堆積されることとなる。
【００１９】
図１、２に示すように、給紙部Ａの給紙フレーム２０には複数の枚葉紙Ｐが積載されたパイル台２１が上下動可能に設けられている。また、給紙フレーム２０にはセパレータ２２が前後に移動可能に設けられている。このセパレータ２２の下部には複数の一吸２２ａ、二吸２２ｂが設けられており、一吸２２ａはセパレータ２２に対して上下動してパイル台２１に積載された枚葉紙Ｐをその上端から一枚ずつ吸着し、二吸２２ｂはセパレータ２２に対して前後動して上端の枚葉紙Ｐを一枚ずつ吸着して前方（枚葉紙Ｐの搬送方向下流側）へ搬送する。本発明において、単に「サッカー」と称する時は二吸２２ｂのことを示すこととする。
【００２０】
二吸２２ｂにより搬送される枚葉紙Ｐの先端を挟持可能な第１フィーディングローラ２４と第１咥えローラ２９が回転可能に設けられている。第１フィーディングローラ２４は図示しない駆動源により駆動され、第１咥えローラ２９は第１フィーディングローラ２４と共に枚葉紙Ｐを挟持可能で、第１フィーディングローラ２４の回転に伴って枚葉紙Ｐを介して回転する。第１咥えローラ２９は揺動可能に構成されており、第１フィーディングローラ２４に接離可能となっている。そして第１咥えローラ２９は枚葉紙Ｐを受け渡す直前（枚葉紙Ｐの後端が通過する直前）に上昇し、枚葉紙Ｐを受取る時（枚葉紙Ｐの先端が通過した直後）に下降する。また、第１フィーディングローラ２４には図３の通り、本発明の枚葉紙吸引手段である複数の吸引口３０が設けられており、図示しない吸着機構の負圧により枚葉紙Ｐを吸着可能になっている。
【００２１】
第１フィーディングローラ２４の下流側にはガイド片２５が設けられ、さらにその下流にはフィーダーボード２６が設けられている。フィーダーボード２６には第２フィーディングローラ２６ａと第２フィーディングローラ２６ａに巻回されて枚葉紙Ｐをレジスタボード９まで搬送可能なフィーダーベルト２６ｂとが設けられている。フィーダーベルト２６ｂには吸引口が設けられており、図示しない吸着機構の負圧により枚葉紙Ｐを吸着しながら下流方向へ搬送可能となっている。また、第２フィーディングローラ２６ａに対向して、第２咥えローラ２６ｃが設けられており、両ローラで枚葉紙Ｐを挟持可能になっている。
【００２２】
また、給紙フレーム２０には紙ガイド２７ａが固定されており、紙ガイド２７ａには紙ガイド２７ｂが固定されている。そして給紙フレーム２０には取付アーム２８も固定されており、取付アーム２８には紙ガイド２７ｃが固定されている。
【００２３】
このように構成された印刷機の給紙部の給紙制御について、図４のグラフも用いながら説明する。まずセパレータ２２の一吸２２ａがパイル台２１に積載された最上位の枚葉紙Ｐを吸着し、上方に持ち上げ、二吸２２ｂにより前方へ搬送する。図４（ａ）の通り、前進開始後の二吸２２ｂの速度は最大速度を経て減速し、区間ｔの時に一定速度となる。その後、二吸２２ｂは減速して前進端に至ったところで速度０となる。そして二吸２２ｂは後退を開始し、後進端に至ったところで速度０となり、再び枚葉紙Ｐを吸着して前進することとなる。
【００２４】
一方、第１フィーディングローラ２４は図４（ｂ）の通り、サインカーブ状に加速減速を繰り返すように動作し、区間ｔでは最低速となり、かつ概略一定速度となる。二吸２２ｂから受け渡され、第１フィーディングローラ２４により搬送された枚葉紙Ｐはフィーダーボード２６に受け渡され、フィーダーベルト２６ｂにより吸着搬送されることとなる。
【００２５】
ここで、二吸２２ｂから第１フィーディングローラ２４に枚葉紙Ｐが受け渡される時が図４における区間ｔとなるように設定されている。さらに、区間ｔにおける二吸２２ｂの速度Ｖ１よりも、区間ｔにおける第１フィーディングローラ２４の最低速度Ｖ２を速くするように構成されている（カム、ギヤ等）。このようにすることにより、搬送される枚葉紙Ｐは第１フィーディングローラ２４に搬送される時にその先端が引っ張られるように作用し、受渡し精度の向上、さらには印刷品質を向上させることができる。また、区間ｔは一定速度であり速度変化がないので、受渡しの精度がいっそうよくなる。さらにこの時、吸引口３０による吸引作用が働くので、第１フィーディングローラ２４による搬送直前から枚葉紙Ｐを引っ張って、より精度のよい受渡しが可能となる。
【００２６】
尚、本発明は、前記実施形態に限定されるものではなく、本発明の要旨を逸脱しない範囲で種々の変更が可能である。例えば前述の実施形態では、第１フィーディングローラ２４のみ吸引口３０を設けていたが、第１咥えローラ２９に設けてもよい。また、吸引口３０による吸着タイミングは常時吸着しなくてもよく、第１フィーディングローラ２４が枚葉紙Ｐを搬送する時、すなわち、二吸２２ｂから第１フィーディングローラ２４への枚葉紙Ｐの受渡しが行われる時のみとしてもよい。こうすればフィーダーボード２６への枚葉紙Ｐのスムーズな受渡しを実現することが出来る。また、上記実施例は吸着搬送構造としていたが、これに限らず、機械的搬送構造にしてもよい。
【００２７】
また、前述の実施形態では、枚葉オフセット印刷機であったが、これに限定されず、枚葉紙を給紙する給紙部を備えた印刷機であればインクジェット式印刷機や液体トナー式印刷機やグラビア印刷機やフレキソ印刷機のようなものであってもよい。
【産業上の利用可能性】
【００２８】
本発明に係る印刷機の給紙部は、枚葉紙を給紙する印刷機の給紙部において極めて有用である。
【符号の説明】
【００２９】
５…印刷ユニット、２１…パイル台、２２…セパレータ、２２ａ…一吸、２２ｂ…二吸、２４…第１フィーディングローラ、２６…フィーダーボード、２９…第１咥えローラ、３０…吸引口、Ａ…給紙部、Ｂ…印刷部、Ｃ…排紙部、Ｐ…枚葉紙
【図１】
2016069113.tif 000003
【図２】
2016069113.tif 000004
【図３】
2016069113.tif 000005
【図４】
2016069113.tif 000006